(57)【要約】      （修正有） 【課題】錠箱内にラッチング機構、本施錠片等を合理的に組込み、錠箱の限られた空間を有効的に活用すること。また、仮施錠状態に於いて、引戸が人的要因により移動しないようにラッチング機構のラッチ板を完全に施錠することができること。【解決手段】  引戸を閉めると、戸枠側の受け金具に当たって錠箱内に後退するトリガー、固定軸に軸支されかつトリガーの後退動に連動して前記受け金具に係合する方向へ回転する鎌片をそれぞれ備える引戸錠に於いて、前記トリガーの一辺に形成した複数個の仮止め用係合部分のいずれかに係合するラッチ板を備えたラッチング機構Ｚを錠箱内に配設し、一方、前記ラッチ板が前記仮止め用係合部分に係合した仮施錠の際に、操作部材の操作力によりスライドして前記トリガーに係合する錠止腕及びラッチ板に係合して該ラッチ板の回転を阻止する阻止部分を有する本施錠片をラッチ板の隣に配設したことを特徴とする引戸錠。【選択図】  図９
2006328782.tif 000002
【特許請求の範囲】
【請求項１】
引戸を閉めると、戸枠側の受け金具に当たって錠箱内に後退するトリガー、固定軸に軸支されかつトリガーの後退動に連動して前記受け金具に係合する方向へ回転する鎌片をそれぞれ備える引戸錠に於いて、前記トリガーの一辺に形成した複数個の仮止め用係合部分のいずれかに係合するラッチ板を備えたラッチング機構Ｚを錠箱内に配設し、一方、前記ラッチ板が前記仮止め用係合部分に係合した仮施錠の際に、操作部材の操作力によりスライドして前記トリガーに係合する錠止腕及びラッチ板に係合して該ラッチ板の回転を阻止する阻止部分を有する本施錠片をラッチ板の隣に配設したことを特徴とする引戸錠。
【請求項２】
請求項１に於いて、本施錠片の一端部に形成されたトリガー用錠止腕は、トリガーに形成した横溝に係合可能であり、一方、本施錠片の他端部に形成されたラッチ板用の阻止部分は、ラッチ板の外壁部分に当接可能であることを特徴とする引戸錠。
【請求項３】
請求項１に於いて、錠箱には、鎌片の可動軸を案内する横長案内部が形成され、一方、前記鎌片の基部には鎌片長孔が形成されていることを特徴とする引戸錠。
【請求項４】
請求項１に於いて、錠箱内にフロントの開口部側に操作部分が位置するラッチ強制解除手段を設けたことを特徴とする引戸錠。
【発明の詳細な説明】
【技術分野】
【０００１】
本発明は、引戸を閉めると、戸枠側の受け金具に当たって錠箱内に後退するトリガー、該トリガーに連動する鎌片を備えた引戸錠に関する。
【背景技術】
【０００２】
錠箱のフロントから受け金具に向かって突出するトリガー（水平突出杆）と、このトリガーの後退動に連動して前記受け金具に係合する方向へ回転する鎌片を備えた建具用引戸錠は、例えば実開昭５７−１１０２６０号公報（特許文献１）に記載されている。
【０００３】
この種の引戸錠は、引戸の閉戸時、トリガーはその先端面がストライクの表面に突き当たると後退し始め、鎌片は動力変換機構（例えばラック及びピニオン）を介して掛合方向へと突出する。
【０００４】
ところで、トリガーに連動する鎌片を備えた引戸錠は、引戸を閉めた時の跳ね返り現象が発生するので、その防止策として錠箱内にラッチング機構（仮施錠機構）を設ける場合が多い。ラッチング機構の一例は特許文献２に記載されている。
【０００５】
出願人は、ラッチング機構を備えた公開前の引戸錠を日本国特許庁に申請中である。その中に、本施錠状態にした場合であっても、引戸をさらにチリを狭める方向に移動させることができるようにした実施例がある。
【０００６】
上記実施例は、本施錠状態にした場合であっても、引戸をさらにチリを狭める方向に移動させることができる反面、人的要因により、チリを設定した範囲内で引戸が前後に移動するという問題点が内在する。それは、ラッチング機構を構成するラッチ板及びラッチ板を軸支する支持板は、解錠方向に移動可能だからである。
【０００７】
ところで、この種の引戸錠に於いて、（１）まず、錠箱内にラッチング機構及び本施錠片を合理的に組込み、錠箱の限られた空間を有効的に活用することが要望されている。（２）また５ｍｍ，３ｍｍ，２ｍｍなどチリ寸法が異なる場合であっても、一つの引戸錠で対応することができることが望まれている。（３）さらに、仮施錠状態に於いて、引戸を狭める方向へ移動することができることが望まれている（仮施錠時のチリ調整）。（４）加えて、仮施錠状態に於いて、引戸が人的要因により移動しないようにラッチング機構のラッチ板を完全に施錠することができることが望まれている（ラッチ板の回転阻止）。
【特許文献１】実開昭５７−１１０２６０号公報
【特許文献２】特開２００２−３２２８５０号公報
【発明の開示】
【発明が解決しようとする課題】
【０００８】
本発明が解決しようとする課題は、引戸を閉めると、戸枠側の受け金具に当たって錠箱内に後退するトリガー、固定軸に軸支されかつトリガーの後退動に連動して前記受け金具に係合する方向へ回転する鎌片をそれぞれ備える引戸錠に於いて、従来の要望点（１）乃至（４）を可能な限り実現することである。また、外部から強制的に仮施錠状態を解除する必要がある場合（例えば悪戯された場合）に、仮施錠状態を強制的に解除することができることである。
【課題を解決するための手段】
【０００９】
本発明の引戸錠は、引戸を閉めると、戸枠側の受け金具に当たって錠箱内に後退するトリガー、固定軸に軸支されかつトリガーの後退動に連動して前記受け金具に係合する方向へ回転する鎌片をそれぞれ備える引戸錠に於いて、前記トリガーの一辺に形成した複数個の仮止め用係合部分のいずれかに係合するラッチ板を備えたラッチング機構Ｚを錠箱内に配設し、一方、前記ラッチ板が前記仮止め用係合部分に係合した仮施錠の際に、操作部材の操作力によりスライドして前記トリガーに係合する錠止腕及びラッチ板に係合して該ラッチ板の回転を阻止する阻止部分を有する本施錠片をラッチ板の隣に配設したことを特徴とする。
【発明の効果】
【００１０】
（１）ラッチング機構の隣に本施錠片を配設し、該本施錠片に錠止腕と阻止部分とをそれぞれ設け、仮施錠時、本施錠片が操作部材の操作力によりスライドすると、前記錠止腕がトリガーに係合すると同時に、前記阻止部分がラッチ板の回転を阻止するので、ラッチング機構と本施錠片の組合せが合理的であり、錠箱の限られた空間を有効的に活用することができる。
（２）５ｍｍ，３ｍｍ，２ｍｍなどチリ寸法が異なる場合であっても、一つの引戸錠で対応することができる。
（３）仮施錠状態に於いて、引戸を狭める方向へ移動することができる。
（４）仮施錠状態に於いて、引戸が人的要因により移動しないようにラッチング機構のラッチ板を完全に施錠することができる。
（５）さらに、請求項４に記載の発明は、悪戯等による開扉時の仮施錠状態を、外部から手動により操作して簡単に解除することができる。
【発明を実施するための最良の形態】
【００１１】
以下、図１乃至図１３に示す本発明を実施するための最良の形態により説明する。
【００１２】
（１）発明の実施の環境
まず、図１及び図２を参照に本願発明に関連する発明の実施の環境について説明する。Ｘは、例えば引戸１の中に収められる彫り込み型の引戸錠である。一方、Ｙは戸枠２に固定的に取付けられた受け金具である。受け金具Ｙは、ボックス部を有するトロヨケ３と、このトロヨケ３の開口に重ね合わせられたストライク（受座）４とから成る。ストライク４は縦長の板状に形成され、複数個の固着手段５を介してトロヨケ３の耳状の取り付け部に固定される。ストライク（受座）４の表面にトリガー３１の先端部が当接可能である。
【００１３】
この実施例では、閉戸時、引戸１を閉めると、トリガー３１が錠箱内に後退動し、例えば５ｍｍ，３ｍｍ，２ｍｍ，１，８ｍｍなどのチリ寸法に対応してラッチング機構を構成するラッチ板５３が、トリガー３１の仮止め用係合部分３５に選択的に係合する。これが「仮施錠の状態」である。そして、この仮施錠の状態に於いて、操作部材の操作力により、本施錠片６１がトリガー３１の横溝（係合溝）４２と係合する方向へスライドし、その一端部の錠止腕６２が前記横溝４２に入り込むと同時に、他端部の阻止部分６６が前記ラッチ板５３に当接して該ラッチ板の回転を阻止する。
【００１４】
その結果、例えば所望のチリを選定した後に、又選定しないで、引戸錠Ｘを一旦本施錠状態にすると、たとえ僅かなチリが存在していても、引戸をさらにチリを狭める方向に移動させることができない。換言すれば、本施錠片６１でラッチ板５３を直接ロックすると、引戸１は、もはや閉鎖方向にも動かなくなる。
【００１５】
（２）錠箱
次に錠箱について説明する。１０は錠箱で、この錠箱１０は、ケース身１０ａと、ケース蓋１０ｂとから成る。１１はフロントで、このフロント１１は、フロント前壁１２に固定されている。１３は複数個の第２固着手段である。１４は鎌片用出入り窓で、この出入り窓１４にはトリガー３１を案内する角筒状のトリガー支持部材１６が取り付けられ、該トリガー支持部材１６の先端部寄りの部位に位置決め突起や取付け部分が設けられている。位置決め突起は、フロント１１に当接することができるように上下対称、鍔状など適宜形状に形成され、先端部側は、図２で示すようにフロント１１に嵌め込まれている。
【００１６】
（３）ケース身とケース蓋
図３はケース身１０ａの正面図である。ここで、図１，図２，図３等を参照にしてケース身１０ａ及びケース蓋１０ｂに形成された主な取付け部（例えば側壁開口部、ガイド孔、軸孔、取付け孔等）ついて説明する。なお、本実施例では、錠箱１０のフロント１１の開口部１１ａ側にラッチ強制解除手段７１が配設されるので、横軸７２用の軸孔７３が形成される。
【００１７】
さて、符号１８は、図１及び図３で示すように、錠箱１０の上部側に形成された複数個（例えば２個）の貫通孔で、これらの貫通孔１８には、引戸壁面側の取付け座のパイプ状連結杆６８が嵌挿する。
【００１８】
次に１９は、前記貫通孔１８の上位に形成された側壁開口部で、該側壁開口部１９は、施錠片６１の矩形状係合窓６３と対向可能である。したがって、図示しない取付け座に軸支された押圧腕部材は、錠箱１０の側壁開口部１９を介して該錠箱内に挿入され、かつ、施錠片６１の係合窓６３に係合する。
【００１９】
次に２０は、錠箱１０の中央部に形成された横長案内長孔で、この横長案内長孔２０は、フロント１１側の弧状案内部２０ａと、これに連続する直線案内部２０ｂとから成る。この横長案内長孔２０には、鎌片４３の後端部に固定的に設けられた可動軸２１が係合する。
【００２０】
次に２２は弧状案内部２０ａの直ぐ下方に設けられた円形軸孔で、この円形軸孔２２には、鎌片４３を案内する固定軸２３が設けられている。鎌片用の固定軸２３は、後述する鎌片長孔４４を介して錠箱１０に横設軸架されている。
【００２１】
次に２４は弧状案内部２０ａとフロント１１との間に形成された矩形小孔状の第１取付け部で、この第１取付け部２４には、前述したトリガー支持部材１６が適宜に取り付けられる。したがって、第１取付け部２４は、弧状案内部２０ａよりも若干上位のフロント１１寄りの部位に形成されている。
【００２２】
次に２５は弧状案内部２０ａとケース身１０ａの上壁との間に形成された垂直案内部（例えば長孔）で、この垂直案内長孔２５には、後述のラッチング機構Ｚを構成する水平可動軸５２が取り付けられる。付言すると、本実施例のラッチング機構Ｚは一組のユニット部材であることから、案内長孔２５は、ユニット部材Ｚを錠箱１０内に組み込むことができるようにケース身１０ａの上壁付近に形成された矩形小孔状の第２取付け部２６と弧状案内部２０ａとの間に位置するように形成されている。前記矩形小孔状の第２取付け部２６には、ユニット部材Ｚの一部を構成し、かつ、ユニット部材の枠状の可動支持片５１を上下方向に案内するガイド部材（垂直軸部材）が適宜に取り付けられる。
【００２３】
さらに、錠箱１０の下部の中央部には、矩形小孔状の取付け部２９が形成され、この取付け部２９には、ケース蓋固定用のメネジ支持杆３０が取り付けられている。このメネジ支持杆３０は、鎌片４３が錠箱内に戻った時に所定位置で止めるストッパー機能を有している（図２参照）。その他錠箱１０にはバネ支持具用の取付け部等が適宜に形成されている。
【００２４】
（４）本施錠片
図２，図６，図８等を参照にして本施錠片６１を説明する。本施錠片６１は、肉厚板状に形成された上下方向のスライド部材であり、ラッチング機構Ｚのラッチ板５３の右隣に配設されている。こにより、錠箱１０内の空間を有効的に活用している。本施錠片６１は、少なくとも錠箱１０の側壁開口部１９を介して該錠箱１０内に図示しない押圧腕部材の係合腕６９と係合可能な係合窓６３を有する。本実施例の係合窓６３は矩形状に形成されている。この係合窓６３を基準にすると、ラッチング機構Ｚ側には、前述した錠止腕６２が垂直状態に延びていると共に、該錠止腕６２に連設する上方には、ラッチ板５３の外壁部分の一部に当接可能な阻止部分６６が設けられている。
【００２５】
一方、係合窓６３よりも上方部分には、錠箱１０の上壁内面に当接可能な突起部分６４が形成されている。さらに、係合窓６３よりも下方部分には、図示しない取付け座の連結杆６８と係合可能な下向きＵ字状の切欠部分６５が複数個並列に形成されている。
【００２６】
本実施例の本施錠片６１は、ラッチ板５３がトリガー３１の複数個の仮止め用係合部分３５のいずれかに係合した仮施錠の状態に於いて、押圧腕部材の係合腕６９を介して、トリガー３１に係合する方向へスライドすると、その一端部の錠止腕６２が前記横溝（係合溝）４２に入り込むと同時に、他端部の阻止部分６６がラッチ板５３に当接して該ラッチ板５３の係合解除の方向（図面上、時計方向）への回転を完全に阻止する。
【００２７】
（５）トリガーとトリガーバネ
図２，図４，図５等を参照にしてトリガー３１を説明する。図４はトリガー３１の正面図、図５はその左側面図である。トリガー３１は錠箱１０内に摺動自在に装着されている。このトリガー３１は、やや長杆状先端部３２と、この突出先端部３２に幅広に連設する幅広状後端部３３とから成り、図２で示すように引戸が開いている時は、前記先端部３２は錠箱１０のフロント１１から突出する。
【００２８】
しかして、３４は前記幅広後端部３３の上辺の先端部分に連続的かつ傾斜状に形成された複数個の摺接面、３５はこれらの摺接面３４に対してそれぞれ垂直状態に続く爪状の仮止め用係合部分である。
【００２９】
本実施例では、ラッチ板５３を備えたラッチング機構Ｚが、本施錠片６１の前方に位置するように錠箱内に配設されている。そして、閉戸時、前記ラッチ板５３は、トリガー３１の一辺に連続的に形成した複数個の仮止め用係合部分３５のいずれかに係合する。
摺接面３４及び仮止め用係合部分３５は、ラッチ板用の第１係合部分に相当し、前者３４はラッチ板５３を誘導し、一方、後者３５は閉戸時にラッチ板５３を係止する。
【００３０】
なお、前記ラッチ板５３用の第１係合部分３５には、短杆或いは長杆状先端部３２と幅広状後端部３３との境目に相当する段差部分の垂直面も含まれる。
ところで、３６は幅広後端部３３の下辺の先端部分に下向きＵ字形状に形成された第２係合部分で、この第２係合部分３６には、鎌片の可動軸２１が摺接自在に係合する。また、３７は幅広後端部３３の後端面からその内部にかけて横溝状に形成されたバネ嵌合部分で、このバネ嵌合部分３７にはトリガーバネ３８の先端側が組み込まれている。
【００３１】
ここで、図２，図８を参照にしてトリガーバネ３８について説明する。トリガーバネ３８は幅広後端部３３とケース身１０ａの後壁との間に横方向に組込まれ、その先端部が幅広後端部３３のバネ嵌合部分３７の内面に適宜に圧接し、一方、後端部は後壁に固定的に設けられたバネ支持具３９に支持されている。したがって、トリガー３１は、トリガーバネ３８のバネ力により、その先端部３２の一部が常時フロント１１から突出するように付勢されている。
【００３２】
また、幅広後端部３３の側壁中央部には突起４０が設けられ、該突起４０は錠箱１０に設けられたトリガーガイド（図示しない）に案内される。本実施例のトリガー３１は、その先端部３２が角筒状のトリガー支持部材１５に常に嵌入している。したがって、トリガー３１はトリガー支持部材１５及び前記突起４０に案内されて安定的に進退動する。
さらに、幅広後端部３３の後側の上部には、上下動する施錠片６１の錠止腕６２と係合する第３係合部分４１が形成されている。この第３係合部分４１は、仮止め用係合部分３５よりも低い位置にある。
【００３３】
加えて、幅広後端部３３の前記第３係合部分４１の垂直錠止面４１ａの前方には、該幅広後端部３３の先端面３３ａに至る水平方向の横溝４２が形成されている。
【００３４】
（６）鎌片
図２，図８等を参照にして鎌片４３を説明する。鎌片４３は全体として人差し指を折り曲げた形態をしており、その幅広基部４３ａの縁部には可動軸２１が突設されている。前述したように、可動軸２１は錠箱１０の横長案内部としての横長案内長孔２０に係合している。また鎌片４３の基部４３ａには鎌片長孔４４が形成されている。鎌片４３は、該鎌片長孔４４を貫通する固定軸２３に軸支されている。したがって、鎌片４３がトリガー３１に連動するための動力変換機構は、トリガー３１の第２係合部分３６と鎌片４３の可動軸２１で構成されているから、極めてシンプルな構成となっている。
【００３５】
ところで、本実施例の引戸錠Ｘは、錠箱１０に鎌片４３の可動軸２１を案内する横長案内部２０が形成され、一方、前記鎌片４３の基部には鎌片長孔４４が形成されていることから、たとえば５ｍｍにチリ寸法が設定されていても、換言すれば、トリガー３１の先端部３２の突出量が多少大きい場合であっても、前記横長案内部２０及び鎌片長孔４４は、「チリ調整機能」を有し、引戸１の閉戸時、仮施錠状態であっても、チリをさらに狭める方向（例えば１．８ｍｍ）へと引戸を閉めることも可能である。この時、鎌片４３は、鎌片長孔４４を有し、また、錠箱１０は横長案内部２０を有するため、所定の施錠位置のままである。
【００３６】
であるから、本施錠片６１を押し下げない限り（トリガー３１を完全にロックしない限り）、鎌片４３の鉤状先端部４０ｂがストライク４に係合（掛合）のままであっても、引戸１をさらに閉めると、鎌片４３の基部４３ａ側を錠箱１０内に後退させることができる（ここでは、これを「仮施錠時におけるチリ調整機能」という）。
【００３７】
（７）ラッチング機構の配設箇所と具体的構成
図２，図６，図８等で示すように、フロント１１の内壁面と施錠片６１の錠止腕６２側とで区画された空間部分７にトリガー３１と係脱可能なラッチ板５３を有するラッチング機構Ｚが配設されている。繰り返しになるが、本実施例の引戸錠Ｘのラッチ板５３は、閉戸時、チリ寸法に対応して（チリ寸法が異なる場合であっても）、トリガー３１の一辺に形成した複数個の仮止め用係合部分３５のいずれかに係合する（図９と図１１を参照）。
【００３８】
さて、鎌片４３を仮施錠状態にする、又は仮施錠状態を解消するラッチング機構Ｚは、錠箱１０内の空間部分に設けられた一組のユニット部材である。該ユニット部材Ｚは、例えば垂直方向に移動可能な枠状の支持片５１と、この支持片５１に水平可動軸５２を介して軸支され、かつ、トリガー３１の一辺に連続的に形成された複数個の仮止め用係合部分３５と選択的に係合可能な係止爪部５３ａを有するラッチ板５３と、前記支持片５１に前記水平可動軸５２を介して組み込まれ、かつ、前記ラッチ板５３を係合可能に位置へ付勢する仮止め用バネ５４とから成る。
【００３９】
前記支持片５１は、ラッチ板５３が時計方向（係合解除の方向）へ回転するのを許容するが、一側壁に設けた垂直壁５１ａを介して反時計方向へ回転を阻止する。
【００４０】
一方、ラッチ板５３は、仮止め用バネ５４よりもバネ力が弱く設定された錠箱内装の支持片用バネ５７により、支持片５１を介してトリガー３１に係合する方向へ付勢されている。
【００４１】
また、前記ラッチ板５３は、水平可動軸５２用の軸孔の回りに前記バネ５４装着用の溝５５を有すると共に、該溝５５を形成する部分に前記係止爪部５３ａとは反対側に延びるバネ端５４ａ用の支持部分５３ｂを有している。
【００４２】
また、前記仮止め用バネ５４の他端部５４ｂは、例えば可動支持片５１の上壁部分に形成したバネ端支持孔に支持されている。さらに、可動支持片５１を常時付勢する弱いバネ５７は、可動支持片５１を上下方向に案内するガイド部材（垂直軸部材）５６に巻装されている。
【００４３】
ところで、本実施例のユニット部材Ｚは、水平移動するトリガー３１を基準にすると、鎌片４３が軸支された空間部分とは反対側の空間部分に設けられている。また、前述したように、ユニット部材Ｚは、錠箱１０の内壁面に固定され得る可動支持片５１用ガイド部材５６を含み、一組のユニット部材を構成している。それ故に、ユニット部材Ｚを極めて簡単に錠箱１０内に取り付けることができる。
【００４４】
（８）ラッチング機構Ｚの作用
図７はラッチング機構Ｚの仮施錠状態に至る概略説明図の一例である。したがって、ラッチング機構Ｚの仮施錠状態が解消する場合は、図７とは逆の作動態様となる（図面上、ラッチ板５３が時計方向に回ると、仮施錠状態が解消し得る）。また、図８はチリ寸法が、例えば５ｍｍに設定された場合であり、図１０はチリ寸法が、例えば１，８ｍｍに設定された場合をそれぞれ概略的に示している。
【００４５】
まず、図２と図８とを対比すると明らかなように、図２は引戸１を矢印Ａ方向に閉める途中に於いて、トリガー３１の先端部３２がストライク４に当たる寸前を示しているのに対し、図８は、チリ寸法が、例えば５ｍｍに設定された場合に於いて、トリガー３１がトリガー支持部材１５及び前記突起４０に案内されて錠箱１０内に後退し、該トリガー３１の後退動に連動して鎌片４３が固定軸２３を支点に時計（掛合）方向に回転し、その結果、鎌片４３の先端部４３ａがストライク４に係合した状態を示している。
【００４６】
図２から図８の閉戸時状態になる過程に於いて、ユニット部材Ｚを構成する支持枠５１、水平可動軸５２、ラッチ板５３等は、ラッチ板５３が後退動するトリガー３１の傾斜状摺接面３４に押圧されると、支持枠用の弱いバネ５７のバネ力に抗して上方に移動し、その係止爪部５３ａが摺接面３４を乗り越えると、引戸１の所定のチリを有する閉鎖位置にて、今度は弱いバネ５７のバネ力により下方に移動する。
【００４７】
したがって、前記係止爪部５３ａはトリガー３１の仮止め用係合部分３５に一つに自動的に係合する。これが仮施錠状態である。この時、ラッチ板５３は錠箱１０に案内される水平可動軸５２を介して上下動する反面、反時計方向へは回転しない。それはラッチ板５３の突起状支持部分５３ｂが支持枠５１の左側垂直壁５１ａの内面に支持されているからである。
【００４８】
しかしながら、本施錠片６１でトリガー３１をロックしないで、引戸１をさらにチリを狭める方向に移動させると、前述したように、ラッチ板５３は強いバネ５４のバネ力に抗して時計方向に回転し、最初の仮施錠状態が解消する。この道理は、本施錠片６１でトリガー３１をロックした場合であっても、トリガー３１に横溝４２が形成されていることから、ラッチ板５３が時計方向に回転しないようにロックしない限り同様である。換言すれば、チリを「５ｍｍ」、「１．８ｍｍ」等に調整或いは設定した意味合いがなくなる。
【００４９】
そこで、本実施例では、例えばチリを「５ｍｍ」に設定した場合、或いはチリを「１．８ｍｍ」に設定した場合に於いて、一つの引戸錠Ｘで、複数個の異なるチリ設定或いはチリ調整に対応するようにし、かつ、閉戸時、ラッチ板５３がトリガー３１の複数個の仮止め用係合部分３５のいずれかに係合した場合（仮施錠時）に於いて、本施錠片６１がスライドして、その錠止腕６２がトリガー３１の横溝４２に係合した場合に、同時にその阻止部分６６がラッチ板５３の係合解除の方向への回転を阻止するようにラッチ板の外壁部分の一部に当接する（図９，図１１参照）。
【００５０】
（９）ラッチ強制解除手段
図１２で示すように、本願発明では、上述した基本的な構成部材（トリガー、鎌片、ラッチング機構Ｚなど）及び作用を前提にした上で、ラッチング機構Ｚの前方に位置する錠箱１０のフロント１１の部位に開口部１１ａを形成し、この開口部１１ａとラッチング機構Ｚの構成部材との間の空間部分７に可動可能なラッチ強制解除手段７１を配設している。
【００５１】
そして、該ラッチ強制解除手段７１の前記開口部１１ａ側に位置する操作部分７１ａを外部から操作してラッチング機構Ｚのラッチ板５３を強制的に解除し得るように構成している。
【００５２】
本実施例のラッチ強制解除手段７１は、錠箱１０の上方の隅部に軸孔７３を介して軸架された横軸７２に回転自在に軸支され、その形状は、図１２を基準にした場合、指、例えば親指と人差し指の二本の指を下向きにして開いたような外観形状をし、一方の指（親指に相当）７１ａはフロント１１の開口部１１ａ側に位置する操作部分であり、一方、他方の指（人差し指に相当）７１ｂはラッチ板５３を軸支する可動支持板５１の内部に該支持板５１を持ち上げることができるように係合している。つまり、ラッチ強制解除手段７１は、操作部分７１ａと係合部分７１ｂを有している。
【００５３】
また、前記操作部分７１ａとしての一方の指の外面には、工具Ｔの先端部が係合する係合部（例えば溝、孔等）７４が形成されている。また、図１で示すように、フロント１１の開口部１１ａの直ぐ上方には、接着層を介してラッチ解除ボタンを意味する目印７５が付されている。
【００５４】
上記構成に於いては、図１３で示すように、ドライバー等の押し込み可能な工具Ｔで、開口部１１ａに位置している操作部分７１ａを押し込む。本実施例では、この時、ドライバーの先端部が係合溝７４に係合し、そう簡単には操作部分（指）７１ａから外れない。操作部分７１ａを押し込むと、ラッチ強制解除手段７１は横軸７２を支点に反時計方向（矢印方向）に回転する。
【００５５】
したがって、可動支持板５１は、垂直軸部材５６に案内されながら、かつ、弱いバネ５７のバネ力に抗しながら、係合解除の方向へ上昇する。それ故に、ラッチ板５３は、トリガー３１から強制的に解除される。トリガー３１はラッチ板５３から解放されると、トリガーバネ３８のバネ力により突出し、これに連動する鎌片４３は錠箱１０内へと戻る。
【実施例】
【００５６】
本実施例では、説明の便宜上、トリガー３１の仮止め用係合部分３５が「２個」の例で説明したが、多様なチリ寸法に対応することができるように「３個」、或いは「４個」形成しても良い。また、本実施例に於いて、錠箱１０のフロント１１とラッチング機構Ｚとの間の狭い空間部分７に、指状のラッチ強制解除手段７１を軸支しているので、錠箱１０の限られた空間７を有効的に活用することができるが、ラッチ強制解除手段７１は、あくまでも本発明の加味的要件である。
【産業上の利用可能性】
【００５７】
本発明は、主に錠前や建具の業界で利用される。
【図面の簡単な説明】
【００５８】
図１乃至図１３は本願発明の一例を示す各説明図である。
【図１】先願発明の実施形態の一例を示す斜視図（取付け座は省略）。
【図２】内部構造を示す概略説明図。
【図３】ケース身の概略説明図。
【図４】トリガーの正面図。
【図５】トリガーの左側面図。
【図６】主要部（ラッチング機構のラッチ板と本施錠片との係合関係）の概略説明図。
【図７】ラッチング機構のラッチ板とトリガーとの係合関係を示す概略説明図。
【図８】先願発明を、例えば建具のチリ寸法が５ｍｍの場合に適用した場合の仮施錠状態の説明図。
【図９】図８に於いて、本施錠片でラッチ板をロックした場合の説明図。
【図１０】先願発明を、例えば建具のチリ寸法が１．８ｍｍの場合に適用した場合の仮施錠状態の説明図。
【図１１】図１０に於いて、本施錠片でラッチ板をロックした場合の説明図。
【図１２】要部（ラッチ強制解除手段）の概略説明図。
【図１３】ラッチ板を強制解除する場合の概略説明図。
【符号の説明】
【００５９】
Ｘ…引戸錠、Ｙ…受け金具、Ｚ…ラッチング機構、１…引戸、２…戸枠、３…トロヨケ、４…ストライク、５，１３…固着具、７…空間部分、１０…錠箱、１０ａ…ケース身、１１…フロント、１２…フロント前壁、１４…出入り窓、１６…トリガー支持部材、１８…貫通孔、１９…側壁開口部、２０…横長案内長孔、２１…可動軸、２２…円形軸孔、２３…固定軸、２４，２６，２９…取付け部、２８…支持軸、２５…垂直案内長孔、３１…トリガー、３２…先端部、３３…幅広状後端部、３４…摺接面、３５…仮止め用係合部分、３６…第２係合部分、３７…バネ嵌合部分、３８…トリガーバネ、３９…バネ支持具、４０…突起、４１…第３係合部分、４１ａ…垂直錠止面、４２…ガイド横溝、４３…鎌片、４３ａ…基端部、４３ｂ…先端部、４４…鎌片長孔、５１…支持片、５１ａ…垂直壁（ストッパー）、５２…水平可動軸、５３…ラッチ板、５３ａ…係合爪部、５４…ラッチ板用バネ（強いバネ）、５６…支持片用ガイド部材、５７…支持片用バネ（弱いバネ）、６１…本施錠片、６２…錠止腕、６３…係合窓、６４…突起部分、６５…切欠部分、６６…阻止部分、６８…連結杆、６９…押圧腕部材、７０…切欠部、Ａ…矢印、１１ａ…フロントの開口部、７１…ラッチ強制解除手段、７１ａ…操作部分、７１ｂ…係合部分、７２…横軸、７３…軸孔、Ｔ…工具、７４…係合部（例えば溝、孔等）。
【図１】
2006328782.tif 000003
【図２】
2006328782.tif 000004
【図３】
2006328782.tif 000005
【図４】
2006328782.tif 000006
【図５】
2006328782.tif 000007
【図６】
2006328782.tif 000008
【図７】
2006328782.tif 000009
【図８】
2006328782.tif 000010
【図９】
2006328782.tif 000011
【図１０】
2006328782.tif 000012
【図１１】
2006328782.tif 000013
【図１２】
2006328782.tif 000014
【図１３】
2006328782.tif 000015